(57)【要約】本発明は、おむつ、失禁製品、衛生ナプキン、パンティライナー又はそれらの類似物品の如き吸収物品とともに使用するためのインサートであって、そのインサートが尿を実質的に吸収せず、かつ第一表面（１２）及び第二表面（１３）を有する支持体シート（２）を含み、第一表面（１２）がスキンケア剤（１４）で処理され、第二表面（１３）が前記スキンケア剤（１４）に対して実質的に不透過性であり、支持体シートが縦方向中央線（８）及び横方向中央線（９）をさらに有するものに関する。インサートは支持体シート（２）の第二表面（１３）に対して置かれた少なくとも一つのスペーシング及び液体受容シート（３）をさらに含む。スペーシング及び液体受容シートはインサートが使用されるときに上部シートを通る液体の取り込みを容易とする。【選択図】図７
2005506149.tif 000002
【特許請求の範囲】
【請求項１】
おむつ、失禁製品、衛生ナプキン、パンティライナー又はそれらの類似物品の如き吸収物品とともに使用するためのインサートであって、そのインサートが尿を実質的に吸収せず、かつ第一表面（１２）及び第二表面（１３）を有する支持体シート（２）を含み、第一表面（１２）がスキンケア剤（１４）で処理され、第二表面（１３）が前記スキンケア剤（１４）に対して実質的に不透過性であり、支持体シートが縦方向中央線（８）及び横方向中央線（９）をさらに有するものにおいて、インサートが支持体シート（２）の第二表面（１３）に対して置かれた少なくとも一つのスペーシング及び液体受容シート（３）をさらに含むことを特徴とするインサート。
【請求項２】
スペーシングシート（３）が少なくとも一つの方向において空気及び液体に対して透過性である請求項１に記載のインサート。
【請求項３】
スペーシングシート（３）が少なくとも一つの方向において弾性である請求項１又は２に記載のインサート。
【請求項４】
スペーシングシート（３）が負荷を止めた直後に約７０−１００％、好ましくは５０−１００％、最も好ましくは２０−１００％の負荷後の回復率を有する材料からなる請求項１〜３のいずれかに記載のインサート。
【請求項５】
スペーシングシート（３）がインサートの全体積の１−９５％である自由体積を有する
請求項１〜４のいずれかに記載のインサート。
【請求項６】
支持体シート（２）が別個のスキンケアシート（１６）及びバリアーシート（１７）からなり、バリアーシート（１７）がスキンケアシート（１６）とスペーシング及び液体受容シート（３）の間に置かれる請求項１〜５のいずれかに記載のインサート。
【請求項７】
支持体シート（２）が多数の穴又は孔を有し、かつ少なくとも１０％の有効開口領域を有し、穴又は孔の開口領域は少なくとも０．１ｍｍ２である請求項１〜６のいずれかに記載のインサート。
【請求項８】
支持体シート（２）が蒸気透過性材料からなる請求項１〜７のいずれかに記載のインサート。
【請求項９】
スキンケア剤（１４）が皮膚炎を予防、軽減又は治療するための使用に好適である請求項１〜８のいずれかに記載のインサート。
【請求項１０】
スキンケア剤（１４）がｐＨ調整物質、抗菌性物質、グルココルチコイド、抗ウイルス剤、プロバイオティック微生物、酵素阻害剤、及び活性物質、例えば抗炎症性物質を含む請求項１〜９のいずれかに記載のインサート。
【請求項１１】
支持体シート（２）が支持体シート（２）のｃｍ３あたり少なくとも０．１ｍｇのスキンケア剤を含む請求項１〜１０のいずれかに記載のインサート。
【請求項１２】
スペーシングシート（３）の他の側が実質的にインサートの縦方向中央線（８）の方向に延びる少なくとも一つの縦方向溝（２０）を有する請求項１１に記載のインサート。
【請求項１３】
スキンケア剤（１４）が、それ自体がインサートを皮膚に固定するための物質として機能しうるようなものである請求項１〜１２のいずれかに記載のインサート。
【請求項１４】
インサートがインサートを皮膚に固定するための手段を構成するシリコーンゲルを含む請求項１〜１３のいずれかに記載のインサート。
【請求項１５】
スキンケア剤（１４）がシリコーンゲルを含むか又はシリコーンゲルからなる請求項１〜１４のいずれかに記載のインサート。
【発明の詳細な説明】
【０００１】
技術分野
本発明はおむつ、失禁製品、衛生ナプキン、パンティライナー又はそれらの類似物品の如き吸収物品とともに使用するためのインサートであって、そのインサートが尿を実質的に吸収せず、かつ第一表面及び第二表面を有する支持体シートを含み、第一表面がスキンケア剤で処理され、第二表面が前記スキンケア剤に対して実質的に不透過性であるものに関する。
【０００２】
背景技術
おむつ又は失禁製品、衛生ナプキン、パンティライナーなどの皮膚に優しい吸収物品を製造するための多数の試みがなされている。吸収物品の使用中、使用者の皮膚に対して支持する表面は一般に、例えばクリーム、軟膏、ローションなどで被覆されている。
【０００３】
ＷＯ  ９６／１６６８２“ローション付きの上部シートを有するおむつ”（Ｒｏｅら）は液体透過性上部シート上にローションを有するおむつを記載する。前記文献によれば、劣った液体の吸収の如き問題は上部シート上に親水性ローションを使用することによって解決される。親水性ローションは疎水性ローションと同様の態様で例えば尿と相互作用しないと言われている。前記文献はまた、特に排泄物が皮膚へ付着することを防止するためにローションが使用者の皮膚へ部分的に移動可能であることを意図されることによってどのように使用者の皮膚の清浄がより容易になされるかを記載する。ＷＯ  ９６／１６６８２によるおむつはまた、ローションを介して治療又は保護成分を供給する問題を解決すると言われている。少量のローションはおむつの液体取扱い容量を損なわず、特別な包装を要求しない。
【０００４】
しかしながら、公知のおむつは多数の問題と関連している。ローションが高いスピードで液体透過性材料に加えられるいずれの方法においても、液体透過性上部シート上に少なくとも幾つかの孔を部分的にブロックしないようにすることは原則として不可能である。この問題を回避又はとにかく最小にする試みは液体透過性上部シート上に線又は特別なパターンでローションを適用することによってなされることができる。しかしながら、ブロックされた孔の問題は被覆パターンになお残ったままである。
【０００５】
さらなる問題はローションが上部シートから孔を通って下方に浸透し、それによって吸収体が液体を吸収することが妨げられることである。この問題は特定の溶融温度を有するローション及びローション安定剤を製造することによって改善され、それは好ましくは室温で完全に又は少なくとも部分的に固体であり、好ましくは体温以下ですぐに溶融を開始するだろう。
【０００６】
しかしながら、特別な特性を得るためにローションを改変するには多数の問題がある。例えば、ローションの皮膚への劣った移動があることが多く、時にはこれが所望のスキンケア効果を与えるのに不十分なことさえある。なぜならば粘度及び溶融温度が変化されるからである。ローションの改変にもかかわらず、製品は使用前、例えば輸送及び保管中、極端な温度の如き環境に暴露される。それはローションが少なくとも部分的になお移行することができ、かくして上部シートの孔をブロックして間接的に吸収芯もブロックすることによって吸収物品中への液体の吸収を損なうことを意味する。移行問題は例えば製品が熱い保管領域に保持されているときに生じる。それは製品が販売される店において熱いかもしれず、製品は真夏の日の旅行かばん内に横たわって放置されているかもしれず、おむつの包装は包装を使用する時まで放熱器の上で洗濯室に放置されているかもしれない。従って、特定の融点を有するようにローションを改変することによってだけでは防ぐことができない状況が明らかに存在する。
【０００７】
ＷＯ  ９９／２２６８４“Ｗｅｂ  ｍａｔｅｒｉａｌｓ  ｗｉｔｈ  ｔｗｏ  ｏｒ  ｍｏｒｅ  ｓｋｉｎ  ｃａｒｅ  ｃｏｍｐｏｓｉｔｉｏｎｓ  ｄｉｓｐｏｓｅｄ  ｔｈｅｒｅｏｎ  ａｎｄ  ａｒｔｉｃｌｅｓ  ｍａｄｅ  ｔｈｅｒｅｆｒｏｍ”（Ｒｏｅら）は少なくとも二つの異なる種類のスキンケア材料を有するウェブを記載する。ウェブは異なる場所でおむつに取付けられ、例えば上部シート、液体バリアーなどに取付けられる。ここでもう一度、孔のブロッキングの問題に特別な注意は全く払われない。加えて、スキンケア剤の位置に関して使用者の要求又は望みはあまり大きな範囲を持たない。前記文献はまた、スキンケアと関連した重要な問題の理解の不足に向いている：皮膚炎症、傷、発疹又は褥瘡を予防又は治療することが望ましい皮膚はできるだけ乱されないことが望ましい。これは皮膚が最小の存在しうる外部影響しか受けないことを意味する。吸収物品、例えば失禁製品又はおむつを使用するとき、皮膚と製品の間である程度の摩擦が常に存在する。摩擦は皮膚が排泄物及び尿の負の影響に対して及び露出時に製品に生じる環境に対して敏感でありかつ影響を受けやすくなることを意味する。
【０００８】
吸収物品が使用者に固定される前に軟膏又はローションが皮膚に直接適用される場合には、物質の幾らかがなお上部シートに移動して浸透して、例えば尿に関して吸収芯をブロックすることができる。加えて、スキンケア剤の連続的な移動は経過時間中、全く見られない。これは、適用されたスキンケア剤が皮膚によって完全に吸収されるとき、それが完了することを意味する。これに加えて、患者を看護する人はスキンケア剤を皮膚に対して直接適用することが不快であると見出すかもしれない。なぜならばローションなどは使用時に粘着するからだけでなく、患者は感染した傷を持っているかもしれず、また患者は世話をする人が扱いたくないが扱わなければならないかさぶたをひょっとしたら持っているかもしれないからである。同様に、患者もまた世話をする人に対して手で直接傷又は敏感な皮膚に触れて欲しくない。
【０００９】
ＤＥ  ２９８１９０８７  Ｕ１“Ｐａｄ  ｏｄｅｒ  Ｗｉｎｄｅｌｅｉｎｌａｇｅ  ｚｕｒ  Ｔｒｅｎｎｕｎｇ  ｄｅｒ  ｚｕｒ  Ｐｆｌｅｇｅ  ｏｄｅｒ  Ｔｈｅｒａｐｉｅ  ａｕｆ  Ｈａｕｔ  ａｕｆｇｅｔｒａｇｅｎｅｎ  Ｓｕｂｓｔａｎｚｅｎ  ｕｎｄ  ｄｅｒ  Ｗｉｎｄｅｌｅｉｎｌａｇｅ”（Ｋｌａｕｓ）は適用された軟膏、クリーム又はペーストと吸収物品の間に分割壁として機能することを意図されるインサートを記載する実用新案である。前記実用新案はまた、インサートがどのようにして軟膏、クリーム又はペーストで被覆されるかを記載する。軟膏、クリーム又はペーストは生体触媒を含有することもでき、皮膚から遠い側上に、おむつの外側の物質の内部への進入を防止することを意図されるウェブ、箔又は綿からなる。
【００１０】
しかしながら、公知のインサートは皮膚上にスキンケア剤を保持するように設計されているにすぎず、上部シートのブロッキングのためインサート自身が生じる液体の低下した吸収の危険について全く述べられていない。加えて、前記文献は皮膚の敏感な、おそらく損傷した領域の過剰な負荷によって生じる褥瘡の如き看護ケア問題を述べていない。
【００１１】
それゆえ本発明の目的はスキンケア剤の良好な連続的な移動を可能にするためにスキンケア剤の粘度及び融点に関してより大きなフレキシビリティを有する解決策を提案することである。本発明はまた、ローションが吸収物品に影響しないような方法で包装方法の問題を解決することを目的としている。本発明はローションが吸収物品中への液体の吸収又は吸収物品の吸収能力に悪影響を与えずにローションの十分な移動を得ることを可能にする。発疹、皮膚炎症、圧力傷、褥瘡などを予防しかつ緩和するために吸収物品などにローションを使用することを可能にする解決策に対する必要性がある。また、予め決められた位置にローションを有するおむつよりスキンケアのための多くの変形を考慮したフレキシブルなインサートに対する必要性がある。また、敏感な皮膚（損傷した皮膚、又は皮膚損傷が予防されるべき場所）と吸収物品の間の摩擦を最小にするインサートに対する必要性がある。より大きな表面積にわたって保護するだけでなくいかなる負荷も吸収及び分配することができるインサートに対する必要性がある。
【００１２】
発明の開示
本発明は、冒頭で述べたタイプのものであり、かつこのタイプの従来公知のインサートの問題を本質的に除去する、尿を実質的に吸収しないインサートを利用可能にする。本発明に従って設計されたインサートは支持体シートの第二表面に対して置かれたスペーシング及び液体受容シートとして機能する少なくとも一つのさらなるシートを含むことを主に特徴とする。
【００１３】
スペーシング及び液体受容シートの配置はインサートが使用中であるとき上部シートを通る液体の吸収を容易にする。
【００１４】
尿を実質的に吸収しないとは、少なくともいわゆるスペーシング及び液体受容シートが好ましくは湿潤が生じたときにいかなる尿も保持しないという意味として理解されるべきである。スペーシング及び液体受容シートは好適には液体を運び去らなければならないか、又は少なくとも液体が吸収体に到達することをいかなる程度にも妨げてはいけない。純粋に実際的な点において、異なる穴において及び繊維間で生じる毛管力のため繊維構造体に保持される二、三滴の液体を回避することは原則として不可能である。しかしながら、これは望ましくなく、本発明によれば最小にされる。
【００１５】
それゆえインサートは液体透過性上部シートにおける穴又は孔がブロックされず、従って液体が吸収中に浸透して芯によって吸収されることを妨げられないことを確実にするために実質的に非吸収性でなければならない。液体はまた、繰り返し湿潤時に上部シートを通って移動可能でなければならない。
【００１６】
スペーシングシートは多数の異なる機能を有する。例えば、その名前が示唆しているように、（少なくとも一種のスキンケア剤及びバリアシートを含む）支持体シートを液体透過性上部シートから使用中分離することが意図される。分離特性は上部シート（及び従って間接的には吸収体も）がバリアシートによってブロックされることができないことを確実にすることが重要である。液体、例えば尿又は血は自由でかつ比較的妨げられない態様でバリアシートの下を通過できなければならない。それゆえこの理由のためスペーシングシートが尿を実質的に吸収しないことが重要である。
【００１７】
スペーシングシートが上部シートをブロックしないことを確実にするためには、負荷を受けたときであっても液体透過性（即ち、液体が上部シートを通って浸透するのを妨げないこと）であることが重要である。それゆえスペーシングシートは剛い材料、例えば連続気泡構造を持つ網状フォームから作られることが好ましい。それゆえスペーシングシートは少なくとも一つの方向、即ちＸ，Ｙ又はＺ方向、好ましくは全ての方向において液体透過性でなければならない。スペーシングシートは例えば吸収物品の液体透過性上部シートに平行な溝、特定の領域の高所又はくぼみ、又は他の三次元構造によって液体が浸透することを純粋に物理的な点で容易にするように設計されることもできる。使用中、吸収物品に対して支持することを意図されるスペーシングシートの表面上には、異なる三次元構造が得られるように更なる材料を取付けることもできる。
【００１８】
使用者が敏感な皮膚を有し、ひょっとして発疹、炎症又は褥瘡を持っているとき、敏感な皮膚の表面が摩擦にさらされないことが重要である。摩擦が純粋に物理的な点で皮膚への外傷を起こしうるのに加えて、摩擦は皮膚が排泄物、尿及びこれらが生じる極端な条件の如き他の外的影響を受けやすいという効果を持つ。本発明はスキンケア剤の助けでインサートが皮膚に直接付着することによってこの問題を解決する。それゆえ好ましくはペースト又は接着剤は全く使用されない。なぜならばこれも繰り返し使用時又は例えばアレルギーの場合に炎症を生じうるからである。一つの例ではシリコーンゲルはＧＢ−Ａ  ２１９２１４２及びＥＰ−Ａ１−０３００６２０に詳細に記載されているようにインサートのための固定手段として使用される。シリコーンゲルは柔らかく、皮膚に付着する。また傷に付着しないシリコーンゲルもある。他の固定手段と比較すると、傷への極めて低い付着傾向はシリコーンゲルの低い表面張力及び例えば接着剤で得られるのとは別のタイプの接着力を生じる表面化学のためである。これは接着剤が固定手段として好ましくない皮膚の柔らかい潰瘍化領域にシリコーンゲルが粘着できることを意味する。この点に関して、シリコーンゲルはスキンケア効果を有し、それ自体スキンケア剤であると言うことができる。シリコーンゲルはさらなるスキンケア剤を含むことができ又は別個のスキンケア剤と組合わせることができる。シリコーンゲルは皮膚に付着されることを意図される表面上にストライプ又は模様で適用されることができる。前述のデザインでは、シリコーンゲルはスキンケア剤で被覆されない表面を横切って、例えばインサートの縁で置かれることが好都合である。
【００１９】
適用後、インサートは外側の吸収物品（例えばおむつ、失禁製品、パンティライナー又はそれらの類似物品）の助けで適所に保持されるが、インサートは吸収物品に固定されない。使用中、吸収物品に対して支持することを意図されるインサートの表面はインサートと吸収物品の間で起こり、かつ使用者の皮膚の摩擦を生じうる剪断力を最小にするためには吸収物品に対してできるだけ低い摩擦を有することが好ましいだろう。インサートはインサートが使用中吸収物品に固定されないが吸収物品によって皮膚に対して圧迫されるにすぎないという意味において吸収物品から自由である。加えて、インサートはスキンケア剤の助けで皮膚に固定されることによって適所に保持される。これは剪断力にさらされる表面が皮膚から使用中吸収物品に対して支持するインサートの表面へシフトされることを意味する。従って、使用者の皮膚の摩擦の危険は本発明によって実質的に除去される。
【００２０】
例えば皮膚上に局在化された圧力がより大きな表面積にわたって分布されるように皮膚の敏感な領域を和らげるためには、スペーシングシートがある程度、弾性的に圧縮可能であることが都合が良い。これはスペーシングシートの所望の特性が負荷後にその元の形状に戻りうるようなものであることを意味する。それは負荷が止められた後も少なくともしばらくの間その形状を保持するように快適であるか又は衝撃を抑えることができなければならない。スペーシングシートは十分な重量で負荷されたときに完全に圧縮されないように十分に剛いか又は耐圧性であることが望ましい。この目的はもちろん既に述べられたように、インサートが不快で傷を付ける負荷にさらされる皮膚の特定の領域における負荷を吸収できることを確実にすることである。吸収物品と使用者の間に形成しうる剪断力はインサート中の可撓性材料によって吸収されるか又は少なくとも打ち消されることもできる。
【００２１】
一つの例によれば、スペーシングシートは負荷を受けた後にその形状を回復する材料からなる。回復度は簡単な方法によって測定されることができる：
１．材料の高さＨ０（厚さ）を測定する。
２．次いで材料を２００ｋＰａ（＝４９．８ｇ／ｃｍ２）の負荷に規定された時間、さらす。
３．その後、負荷を止めた直後に高さＨ１を測定する（直後とは１分以内を意味する）。
４．負荷を止めてから約１時間後に高さＨ２を測定する。
５．負荷を止めてから約４時間後に高さＨ３を測定する。
【００２２】
時間ごとの異なる場所での回復度を（Ｈ１／Ｈ０）・１００、（Ｈ２／Ｈ０）・１００又は（Ｈ３／Ｈ０）・１００によって計算することができる。迅速に回復する材料については負荷を止めた直後（即ち、１分以内）に高さの再現可能な測定値を得ることは難しいかもしれない。それゆえ各試料について同じ長さの時間後に高さを測定することが重要である。もし第一の試料が約１５秒後に測定されるなら、できるだけ再現可能な値を得るためには次の試料を約１５秒後に測定することを確実にすることが重要である。
【００２３】
高さの正確な値を得るためには、例えばＭｉｔｕｔｏｙｏ（登録商標）ＩＤ−Ｕ１０２５を使用することができる。しかしながら、重要なことは再現可能な値が得られるように全ての高さに対して同じ方法で高さが測定されることである。
【００２４】
一つの例によれば、スペーシングシートは負荷を止めた直後に約７０−１００％、好ましくは５０−１００％、最も好ましくは２０−１００％の回復度を有する材料からなる。さらに、回復度は負荷を止めてから約１時間後に約７０−１００％、好ましくは５０−１００％、最も好ましくは２０−１００％、負荷を止めてから約４時間後に約７０−１００％、好ましくは５０−１００％、最も好ましくは２０−１００％であることが好都合である。
【００２５】
一つの例によれば、スペーシングシートはインサートの全体積の１−９５％の自由体積（空隙体積）を有する材料から作られる。スペーシングシートの自由体積を変えることによって、異なる特性のスペーシングシートを得ることができる。インサートの全体積の４０％以上の自由体積を有するスペーシングシートは極めて多孔質であり、材料中に穴を有する。十分に多孔質の材料は上部シートがブロックされないので例えば尿が芯によって吸収されることが容易になる分布シートとして機能する。高い多孔質のスペーシング及び液体受容シートの別の利点は多量の液体を短時間で受け入れることができることである。
【００２６】
一つの例では、支持体シートは別個のスキンケアシート及びバリアーシートからなり、バリアーシートはスキンケアシートとスペーシングシートの間に置かれる。
【００２７】
別の例では、支持体シートに全体的に透過する穴が形成される。これは皮膚が呼吸するのを容易にするためになされることができる。支持体シートはこの場合において多数の穴又は孔を有し、少なくとも１０％の有効開放面積を有する。穴又は孔の開放面積は一つの穴又は孔あたり少なくとも０．１ｍｍ２である。（有効開放面積は支持体シートの第一表面の面積に関する個々の穴の開放面積の合計として理解されなければならない。開放面積は支持体シートの第一表面と同じ平面にある穴又は孔の面積として理解されなければならない。）皮膚が空気へアクセスできることがどのくらい重要であるかによって、穴の面積、従って有効開放面積を変化させることができる。
【００２８】
もし皮膚がふさがれるなら（即ち、カバーされるなら）、皮膚の吸収能力はほとんどの材料に対して増加することが注意されるべきである（Ｈ．Ｓｃｈａｅｆｅｒ，Ｔ．Ｅ．Ｒｅｄｅｌｍｅｉｅｒ，“Ｓｋｉｎ  ｂａｒｒｉｅｒ−Ｐｒｉｎｃｉｐｌｅｓ  ｏｆ  ｐｅｒｃｕｔａｎｅｏｕｓ  ａｂｓｏｒｐｔｉｏｎ”，ｐａｇｅ  １６７，１９９６）。それゆえ、ある用途に対しては、支持体シートが完全に連続する穴を全く持たないことが望ましいかもしれない。
【００２９】
実質的に尿を吸収しないインサートをスキンケア剤の助けで適所に保持できることを確実にするためには、スキンケア剤が皮膚に付着することが重要である。それゆえスキンケア剤は粘着性であるべきである。即ち、インサートが皮膚上に残り適用直後に取れないことを確実にするのに十分なほど粘着性であるべきである。固定手段としての接着剤などの使用は接着剤が繰り返しの使用後に皮膚炎症又はアレルギー反応を生じることが多いので避けるべきである。それゆえ、スキンケア剤自体はインサートを皮膚に固定するための物質として機能できることが好ましい。
【００３０】
スキンケア剤の粘度はある場合にはスキンケア剤がどのくらいの粘着性であるかの測度である。もし粘度が高すぎると、スキンケア剤は稠度が完全に固く、それはインサートを固定する手段として機能しないだろう。皮膚へのスキンケア剤の有意な移行を得ることはできないし、少なくとも体の熱の結果としてそれが完全に又は部分的に溶融する前には移行できない。しかしながら、本発明の利点の一つは例えばローションなどがおむつの上部シートに適用されるときに可能である粘度範囲より大きいスキンケア剤についての粘度範囲を許容することである。なぜならばスキンケア剤は支持体シート上に被覆されるか及び／又は含浸されうるからである。
【００３１】
本発明はまた、支持体シート上に多量のスキンケア剤を配置することができることを特徴とする。多量のスキンケア剤は良好な移動及び連続的な移動を確実にする。支持体シートは支持体シートのｃｍ３あたり少なくとも０．１ｍｇのスキンケア剤を含むことが好都合である。
【００３２】
図面の簡単な記述
本発明を添付図面に示された図面を参照して以下に詳細に記載するだろう。
図１は支持体シート及びスペーシングシートを含むインサートを示す。
図２は特別なデザインのスペーシングシートを有するインサートを示す。
図３は特別なデザインのスキンケア剤の被覆を有するインサートを示す。
図４は特別なデザインのスペーシングシートを有するインサートを示す。
図５は吸収物品が適用される前に皮膚に固定されたインサートを有する、背後から見た人を示す。
図６は吸収物品が適用される前に皮膚に固定されたインサートを有する、側方から見た人を示す。
図７は皮膚に固定されたインサートを有し、腰及び股関節のまわりに吸収物品を有する、あおむけに横たわる人を示す。
【００３３】
具体例の記述
図１に示されたインサート１は支持体シート２及びスペーシングシート３を含み、それらは一緒に一般に細長い形態を有する。二つのシート２，３は各々、二つの縦側４，５及び二つの横側６，７、縦方向中央線８及び横方向中央線９を有する。さらに支持体シート２は第一厚さ１０を有し、スペーシングシートは第二厚さ１１を有する。
【００３４】
図１による支持体シート２は第一表面１２及び第二表面１３を有し、第一表面１２はスキンケア剤１４で処理されている。スキンケア剤１４は第一表面１２の上部に適用されることができ、上部シート１５を形成し、スキンケア剤１４が第一表面１２中に完全に又は部分的に移行し、支持体シート１０中に部分的に移行するように第一表面１２に含浸されるか又は適用されることができる。第一表面１２はスキンケア表面１２と称することもできる。
【００３５】
支持体シート２の第二表面１３はスキンケア剤１４に対して実質的に不透過性であり、熱処理、細孔勾配、表面エネルギーの変化の如き材料の変性によって得られることができ、バリアーシートと称することもできる。
【００３６】
支持体シート２はスキンケア表面１２が少なくとも一つの個別のシートからなる積層体からなることもできる。支持体シートの第二表面１３も少なくとも一つの個別のシートからなることができる。支持体シート２は少なくとも二つの接続された積層体からなることもできる。
【００３７】
支持体シート２及びスペーシングシート３は多数の異なる材料からなることができ、例えば支持体シート２及びスペーシングシート３は不織布、不織材料、フィルム、フォーム、弾性ウェブ又はこれらの組合せからなることができる。好ましいシート材料としては、ポリオレフィン、例えば線状低密度ポリエチレン（ＬＬＤＰＥ）、低密度ポリエチレン（ＬＤＰＥ）、超低密度ポリエチレン（ＵＬＤＰＥ）、高密度ポリエチレン（ＨＤＰＥ）を含むポリエチレン、又はポリプロピレン及び／又は前記材料の混合物を挙げることができる。使用可能な好適なポリマー材料のさらなる例はポリエステル、ポリウレタン、堆肥化可能又は生分解可能ポリマー、感熱性ポリマー、熱可塑性エラストマー、メタリセン触媒ベースのポリマー（例えばＤＯＷ  Ｃｈｅｍｉｃａｌｓから商業的に入手可能なＩｎｓｉｔｅ（登録商標）及びＥｘｘｏｎから商業的に入手可能なＥｘｘａｃｔ（登録商標））、及び呼吸可能なポリマー又は蒸気透過性（呼吸可能性）材料である。ウェブは合成ウェブ、有孔不織布又はフィルム、巨視的に発泡された三次元フィルム、フォーム材料、充填剤入り組成物又は積層体及び／又はこれらの組合せからなるか又はこれらを含むこともできる。不織材料はいわゆるスパンボンド、液体孔あけ、液体からみ合い、カード、空気結合、カレンダー又はこれらの組合せによって製造されることができる。しかしながら、本発明によれば、支持体シート２及びスペーシングシート３は実質的に尿を吸収しないものであり（インサートはある条件では極めて少ない量の液体を保持してもよい）、それゆえ少なくともスペーシング及び液体受容シートの材料は実質的に疎水性の材料、例えば湿潤剤で処理されていないポリオレフィン繊維の如き合成繊維からなるべきである。
【００３８】
既に述べられているように、支持体シート２及びスペーシングシート３は公知の多数の方法で組合わされた前述の材料の積層体であることもできる。同じ方法で又は同様の方法で、支持体シート２及びスペーシングシート３は例えば熱結合、例えばスプレー接着剤、ホットメルト、ラテックスベースの接着剤などでの接着、超音波溶接、又は押出貼り合わせによって一緒に接合されることもできる。押出貼り合わせはポリマーフィルムが支持体上に直接横たわり、一方フィルムはまだ部分的に溶融状態であり、それによって支持体に接着するものである。前記積層体は弾性層、好ましくは圧縮弾性及び／又は非弾性層の一以上のシートからなることができる。
【００３９】
支持体シート及びスペーシングシートが単一シートからなること及びスキンケア剤がシートの第一表面に適用されること及びバリアー部分がシートの前記第一表面と第二表面の間に位置された区域からなることが本発明の範囲内で考えられる。
【００４０】
支持体シート２はローションなどのスキンケア剤１４で含浸及び／又は被覆され、それらはスキンケア剤１４が後で部分的に使用者に移行されるような方法で使用中、インサート１を使用者の皮膚に固定する。
【００４１】
インサート１のさらなる例が図２に示されている。インサート１は支持体シート２及びスペーシングシート３を含み、それらは一緒に一般的に細長い形態を有する。二つのシート２，３は各々、二つの縦側４，５及び二つの横側６，７、縦方向中央線８及び横方向中央線９を有する。支持体シートは第一厚さ１０を有し、スペーシングシートは第二厚さ１１を有する。
【００４２】
図２における支持体シート２は支持体シート２の全厚さ１０を通って延びる多数の貫通穴１６を有する。支持体シート２はスキンケアシート１５及びスキンケア剤１４に対して実質的に不透過性のバリアーシート１７を含む。本発明の範囲内では穴１６はバリアーシート１７を貫通しないようにすることができ、バリアーシート１７はこの場合において実質的に蒸気透過性材料からなることが好ましい。また、本発明の範囲内では穴１６はインサート全体を通って延びること、即ち穴１６は支持体シート２の厚さ１０及びスペーシングシート３の厚さ１１の両方を貫通することもできる。
【００４３】
インサート１のさらなる例が図３に示され、それは支持体シート２及びスペーシングシート３を含み、それらは一緒に一般に細長い形態を有する。二つのシート２，３は各々、二つの縦側４，５及び二つの横側６，７、縦方向中央線８及び横方向中央線９を有する。支持体シートはさらに第一厚さ１０を有し、スペーシングシートは第二厚さ１１を有する。
【００４４】
図３は支持体シートの第一表面１２上に矩形１８の形で配置されたスキンケア剤１４を示す。矩形１８は適用されたスキンケア剤１４の面積が支持体シートの第一表面１２の面積より小さいように及びスキンケア剤で被覆されない矩形１８のまわりに残っている面積があるように支持体シートの第一表面１２上に被覆される。しかしながら、本発明の範囲内ではスキンケア剤１４の面積が支持体シート２の第一表面１２の面積と実質的に同じサイズであることも代替的に可能である。
【００４５】
また、本発明の範囲内では、スキンケア剤１４が多数の異なる形状で適用されることができる。即ちそれは矩形である必要はない。例えば、スキンケア剤１４は円形又は偏菱形で適用されることができ、スキンケア剤１４は三、四、五又はそれより多い縁、不規則な形状を有することができ、多数の他の形状を有することができる。スキンケア剤１４は正方形、ストライプ、ドット、円、簡単な物体の絵、ロゴ、動物、植物などの様々なパターンであることもできる。
【００４６】
スペーシングシート３は多数の異なるデザインを持つことができる。スペーシングシート３の厚さ１１は例えば支持体シート２の厚さ１０より小さいか、大きいか又はそれと同じサイズを有することができる。スペーシングシート３の厚さ１１はスペーシングシート３の異なる場所で異なることもできる。即ち、ある三次元構造であることもできる。スペーシングシート３の材料は特に吸収物品の液体透過性上部シートと関連して空気及び液体に対して透過性であることが望ましいので、これを容易にする三次元構造、例えば吸収物品の液体透過性上部シートに平行に走る溝などを形成することができる。
【００４７】
スペーシングシート３のために望ましいと考えられる他の特性はそれが負荷後にその元の形状を回復しうること、及びスペーシングシート３が負荷を止めた後に少なくともしばらくの間その形状を保持するように快適であるか又は衝撃減衰機能をもつことができることである。スペーシングシート３はかなりの重量で負荷されたときに完全に圧縮されないことを確実にするために十分に剛くかつ耐圧性であることが望ましい。これはもちろん、既に述べたように、インサートが使用中、皮膚の特定の領域上の負荷を和らげることを確実にすることである。皮膚は不快なかつ／又は損傷を与える負荷に露出されうる。また、インサートのスペーシング及び液体受容シートはある負荷下で液体を受け入れることができることが重要である。
【００４８】
インサート１のさらなる例が図４に示され、それは支持体シート２及びスペーシングシート３を含み、それらは一緒に一般的に細長い形態を有する。二つのシート２，３は各々、二つの縦側４，５及び二つの横側６，７、縦方向中央線８及び横方向中央線９を有し、支持体シートは第一厚さ１０を有し、スペーシングシートは第二厚さ１１を有する。
【００４９】
スペーシングシート３は実質的にインサートの縦方向中央線８の方向に延びる溝２０を有する。溝２０はスペーシングシート３の圧縮、くり抜いた材料によって、又はスペーシングシート３の縦側４，５に沿ってさらなる材料を付着することによって生成されることができる。本発明の範囲内では、インサート１の縦方向中央線８又はインサート１の横方向中央線９のいずれかの方向に延びる多数の溝を配置することもできる。他のタイプのパターン、例えば円、正方形なども考えられる。最も重要なことはスペーシングシート３の構成がスペーシングシート３を通る又はそれを過ぎる液体の取り込みが容易になるようなものであることである。
【００５０】
図５は皮膚に固定されたインサート５１を有する使用者を背後から示す。図６は一つの側方から見た同じ使用者を示す。インサートは使用者の尻の一方に固定される。但し、インサートは原則として治療される又は治療が回避される使用者のいずれの場所にも固定されることができる。インサートが固定された後、吸収物品は慣習的な方法で使用者に適用される。
【００５１】
インサートは図５及び６のような矩形形状を有することができるが、本発明の範囲内ではインサートは三つ以上の縁を有する形状、楕円、円、偏菱形、不規則な又は同種の形状の如き別の形状を有することができる。インサートは車両、家、植物、数字、又は望ましいと想像されうる他のいかなる形状も有することができる。インサートのサイズは変化することもでき、例えばインサートのスキンケア側は約２−５００ｃｍ２、好ましくは４０−３５０ｃｍ２、最も好ましくは８０−２００ｃｍ２の面積を有することができる。インサートのサイズはもし必要なら望まれる治療のタイプ、インサートを使用することになる人、及び吸収物品のタイプ及びサイズによって適応されることができる。例えばインサートの製造中の廃物を最小にするためにインサートを特別な方法で設計することによって製造工学技術の点で有利であるかもしれない。
【００５２】
インサートの形状は使用者上に置かれることを意図される場所によって変化させることができる。本発明の範囲内ではインサートが体上のいずれかの場所に、特に吸収物品の内側に置かれることになるので、インサートは異なるサイズ及び形状で利用可能にされることが重要である。重要な一般的なルールは、大きなインサートが大きい治療表面のために使用され、小さなインサートが小さな治療表面のために使用され、又は多数の小さなインサートが大きな治療表面のために使用されることである。治療表面はスキンケア剤で治療されることを意図される使用者の皮膚の表面を意味するものとして理解されなければならない。
【００５３】
図７はあおむけに横たわる床ずれ（褥瘡）を持つ人を示す。インサート５２は一方の脚と尻上に適用されている。インサート５２は吸収物品５３のわずかに外側に延び、良好なスキンケア効果に加えて吸収物品５３の漏出バリアー５４からの支持及び安心を与える。漏出バリアーはおむつ又は失禁製品の如き吸収物品の脚領域に見出されることが多い。漏出バリアー（液体バリアーとも称される）を有する吸収物品の例は例えばＷＯ−Ａ１−９２０７５３３，ＵＳ  ４６９５２７８，ＵＳ  ５０６４４８９，ＳＥ−Ｔ３−０２６４２３８及びＧＢ−Ａ−２１８８５３２に記載されている。失禁製品がどのようなものであるかの例は特にＷＯ  ９９／２１５２２Ａ１に記載されている。同様にして、インサートは腰又は吸収物品が不快な摩擦を起こすか又はきついと考えられる他の場所に支持及び安心を与えることもできる。インサートは吸収物品５３の液体透過性上部シート（図に示されず）を横切って延びる。
【００５４】
上述の記載は本発明を前記参照文献に記載された吸収物品だけとともに使用するように限定するものとして見なすべきではなく、代わりにおむつ、失禁製品、衛生ナプキン、パンティライナーなどの分野の熟練者に公知の全ての形の吸収物品を含めるものとして見なすべきである。
【００５５】
おむつ皮膚炎
幾つかの要因が組合わされておむつ皮膚炎の発生に導かれる。湿潤した皮膚は摩擦及び圧縮が皮膚を容易にすり減らすことを生じる。高い水分率は刺激物質による皮膚透過が増加すること及び細菌及び真菌が生長しうることを意味する。皮膚の閉塞及び尿中の尿素のアンモニアへの分解はｐＨの増加を生じる。高いｐＨ値は腸から及び排泄物中の微生物から来る酵素（リパーゼ及びプロテアーゼ）がかなりの程度、皮膚を破壊しうることに導く。様々な要因が促進し互いに強め合う悪循環が容易に進展しうる。
【００５６】
皮膚炎はおむつ皮膚炎のプロセスを作りかつ維持する要因を妨げる条件を作ることによって最も良く防止される。それゆえ皮膚をできるだけ乾燥するように保ち、皮膚をしばしば空気にさらし、湿潤したおむつを変えるように努力すべきである。機械的剪断力はできるだけ滑らかで柔らかい材料を選択することによって最小にされるべきであり、おむつと皮膚の間の摩耗は最小にされるべきである。皮膚に柔軟化及び保護ローション又はクリームを供給することによって、刺激物質及び酵素の透過に対してバリアーをさらに補強することができる。皮膚炎のより深刻なケースでは、微生物は損傷した皮膚に感染するかもしれず、より活性のある医薬での治療が要求される。コルチゾン及び様々な抗真菌薬及び殺菌薬を有する軟膏がそのとき使用される。
【００５７】
インサートに使用されうるスキンケア剤の例
スキンケア剤を使用して皮膚炎を予防、緩和又は治療することができる。
【００５８】
スキンケア剤はその物理的な形では溶液、懸濁液、クリーム、ローション、軟膏、ペースト、ゲル、フォーム、エアロゾル又はカプセルからなることができ、又はそれは粒子、フレーク、繊維、フィルム、フォーム、詰物、スティックなどの固体相で存在させることができる。以下の記載において、クリーム、ローション又は軟膏が好ましく使用されるが、上記形態以外のものももちろん考えられる。
【００５９】
スキンケア剤は脂質（脂肪、油、ワックス）、溶媒（水を含む）、水溶性物質、表面活性剤（乳化剤、界面活性剤）、粘度調整物質、ｐＨ調整物質、保存剤、錯化剤（例えばキレート類）、デリバリーシステム（例えばリポゾーム、マイクロカプセルなど）、顔料、香料、及び活性物質（薬剤）を含む。脂質は通常水中で乳化され（ｏ／ｗ乳剤として知られる）、又は水は脂質相中で乳化される（ｗ／ｏ乳剤として知られる）。
【００６０】
スキンケア剤は以下のような脂質を含むことができる：
１２−３５の炭素を有するパラフィン（アルカン）、例えばパラフィンオイル（鉱物油）又はペトロラタム（ワセリン）、トリグリセリド、好ましくはＣ−１８以下の炭素鎖長を有する精製及び／又は水素化動物油又は植物油（例えば乳脂、ヤシ油Ｃｏｃｏｕｓ  ｎｏｃｉｆｅｒａ、パーム核油Ｅｌａｅｉｓ  ｇｕｉｎｅｅｉｓ）、不飽和Ｃ−１８脂肪酸を有する動物油又は植物油（例えば木蝋Ｒｈｕｓ  ｓｕｃｃｅｓｄａｎｅｓ、牛脂、大豆油Ｇｌｙｃｅｒｉｎ  ｓｏｙａ、ピーナッツ油Ａｒａｃｈａｉｓ  ｈｙｐｏｇａｅａ、トウモロコシ油Ｚｅａ  ｍａｙｓ、ひまわり油Ｈｅｌａｎｔｈｕｓ  ａｎｎｕｓ、ブドウ種子油Ｖｉｔｉｓ  ｖｉｎｉｆｅｒａ、紅花油Ｃａｒｔｈａｍｕｓ  ｔｉｎｃｔｏｒｉｕｓ、スイートアーモンド油Ｐｒｕｎｎｕｓ  ａｍｙｇｄａｌｕｓ  ｄｕｌｃｉｓ、ヘーゼルナッツ油Ｃｏｒｙｌｕｓ  ａｍｅｒｉｃａｎａ、くるみ油Ｊｕｇｌａｎｓ  ｒｅｇｉａ、オリーブ油Ｏｌｅａ  ｅｕｒｏｐａｓａ、アボカド油Ｐｅｒｓｅａ  ｇｒａｔｉｓｓｉｍａ、ゴマ油Ｓｅｓａｍｕｍ  ｉｎｄｉｃｕｍ、タル油Ｔａｌｌｏｌ、綿実油Ｇｏｐｓｓｙｐｉｕｍ、パーム油Ｅｌａｅｓｉｓ  ｇｕｉｎｅｅｎｓｉｓ、米油Ｏｒｙｚａ  ｓａｔｉｖａ、ナタネ油Ｃａｎｏｌａ、アンズ核油Ｐｒｕｎｕｓ  ａｒｍｅｎｉａｃａ、ココアバターＴｈｅｏｂｒｏｍａ  ｃａｏ、シアバターＢｕｔｙｒｏｓｐｅｒｍｕｍ  ｐａｒｋｉｉ、小麦種子油Ｔｒｉｔｉｃｕｍ  ｖｕｌｇａｒｅ，Ｂａｓｓｉａ  ｌａｔｉｆｏｌａ）、Ｃ−１８以上の炭素鎖を有する動物油又は植物油（例えば密蝋Ｃｅｒａ  ａｌｂａ、セラック蝋Ｓｈｅｌｌａｃ  ｃｅｒａ、メドウフォーム種子油Ｌｉｍｎａｎｔｈｅｓ  ａｌｂａ、ナタネ油Ｂｒａｓｓｉｃａ  ｃａｐｍｅｓｔｒｉｓ、キュウリ種子油Ｂｏｒａｇｏ  ｏｆｆｉｃｉｎａｌｉｓ、亜麻仁油Ｌｉｎｕｍ  ｕｓｉｔａｔｉｓｓｉｍｕｍ、リシン油Ｒｉｃｉｎｕｓ  ｃｏｍｍｕｎｉｓ、ベロニア油Ｖｅｒｏｎｉａ  ｇａｌａｍｅｎｓｉｓ、ホホバ油Ｂｕｘｕｓ  ｃｈｉｎｅｎｓｉｓ、キャンドル蝋Ｅｕｐｈｏｒｂｉａ  ｃｅｒａ、オンゴキ油Ｏｎｇｏｋｅａ  ｇｏｒｅ）、１３−３２の炭素の直線又は枝分かれした炭素鎖長を有する脂肪アルコール、例えばセチルアルコール又はステアリルアルコール、１２−３２の炭素を有する脂肪酸エステル、例えばメチルパルミテート、メチルステアレート、イソプロピルミリステート、イソプロピルラウレート、イソプロピルパルミテート、イソプロピルステアレート、オクチルパルミテート、オクチルステアレート又はオクチルラウレート、ポリアルコール、例えば糖アルコール又はポリグリセロール、錯脂質、例えば燐脂質又はスフィンゴ脂質（セラミド）蝋、動物起源のものとして例えば蜜蝋又はラノリン、植物起源のものとして例えばカルナバ又はカンデリラ、鉱物起源のもとして例えばオゾセライト又はセレシン、ポリシロキサン、直線又は枝分かれした又は環式のものとして例えばポリジメチルシロキサン（ジメチコーン）又はポリジエチルシロキサン。
【００６１】
スキンケア剤は以下のような乳剤を含むことができる：
水、グリセロール、ポリエチレングリコール（ＰＥＧ）、プロピレングリコール、ブチレングリコール、ソルビトール、シリコーングリコールなど又はそれらの混合物の如き親水性物質を有する一以上の脂肪の乳剤。
【００６２】
スキンケア剤は尿又は排泄物中の刺激成分を吸着する物質を含むことができる。例えば、クレーミネラル（ベントナイト、カオリン、モントモリロナイトなど）、シリコンオキシド化合物（石英、ゼオライト、水ガラスなど）又は活性炭を含むことができる。それらの物質は様々な処理、例えば４級アンモニウム塩化合物によって吸着性にするために活性化されることが有利である。
【００６３】
スキンケア剤は酵素阻害剤を含むことができる。例えば鉄又は亜鉛の金属塩、極微量の銅又は銀の如き重金属イオン、エチレンジアミンテトラ酢酸（ＥＤＴＡ）、大豆トリプシン阻害剤、ライマメプロテアーゼ阻害剤、トウモロコシプロテアーゼ阻害剤、ステアリルグリシレチネート、グリセロールトリアセテート、ベタイン化合物、スルボベタイン化合物、コレスチラミン、ｐ−グアニジノベンゾエートを含むことができる。
【００６４】
スキンケア剤はｐＨ調整添加剤を含むことができる。例えばアジピン酸、アスコルビン酸、ベンゾイン酸、クエン酸、マレイン酸、酒石酸、乳酸、燐酸又は塩酸の如き有機又は無機酸、又は対応する塩で前記酸から作られたバッファーを含むことができる。また、ポリマー酸、例えばポリ燐酸又はポリアクリル酸を含むこともできる。
【００６５】
スキンケア剤は望ましくない微生物、例えば尿路病原体又は皮膚感染病原体に対して拮抗的であることを特徴とするプロバイオティック微生物の添加を含むこともできる。使用可能なプロバイオティック微生物の例はＬａｃｔｏｂａｃｉｌｌｕｓ  ａｃｉｄｏｐｈｉｌｕｓ，Ｌａｃｔｏｂａｃｉｌｌｕｓ  ｃｕｒｖａｔｕｓ，Ｌａｃｔｏｂａｃｉｌｌｕｓ  ｐｌａｎｔａｒｕｍ又はＬａｃｔｏｃｏｃｉｓ  ｌａｃｔｉｓの種からとられた乳酸菌の個々の株又は幾つかの株の混合物である。
【００６６】
スキンケア剤は以下のような活性物質を多かれ少なかれ含むこともできる：
抗炎症剤、例えばアセチルサリチル酸、アラントイン、アズレン、アルファービサボロール（カミツレ）、フラボノイド、グリシレチン酸、イクタモール（Ｉｎｏｔｙｏｌ（登録商標））、タンニン、
収斂薬（血管収縮薬）、例えばＴｉＯ，ＺｎＯ（及び他のＺｎ化合物）、酢酸アルミニウム溶液、酒石酸アルミニウム溶液（及び他のＡｌ化合物）、エタノール又はエタノールベースの溶液、アロエベラ（Ａｌｏｅ  ｂａｒｂａｄｅｎｓｉｓ）、アルファーヒドロキシ酸（クエン酸、酒石酸、乳酸、マレイン酸など）、藻類抽出物、アスコルビン酸（ビタミンＣ）、ビタミンＡ化合物（レチノール、レチナール、トレチノイン及びイソトレチノイン）、アボカドステロール、ベタイン（トリメチルグリシン）、セラミド、ブドウ種子抽出物、必須脂肪酸、フラボノイド、フィトスフィンゴシン、フィトステロール、ヒアルロン酸、イースト抽出物、キトサン、乳蛋白質（Ｌａｃｔｉｓ  ｐｒｏｔｅｉｎｕｍ）、パンテノール（プロビタミンＢ５）、ポリサッカライド、ローズマリー抽出物、トコフェロール（ビタミンＥ）、ユビキノン（コエンザイムＱ１０）、尿素、
【００６７】
抗菌剤、例えばアモロフィン、抗生物質、バシトラシン、塩化ベンザルコニウム、塩化ベンゼトニウム、セトリミド、フシジン酸、ゲンチアナバイオレット（塩化メチルロザニリン）、ヘキサクロロフェン、へキシルレゾルシノール、イミダゾール誘導体（例えばビフォナゾール、エコナゾール、ケトコナゾール、クロトリマゾール、ミコナゾール）、クロレキシジン、ニスタチン、ポビドンヨード、テルビナフィン、トリクロサン、過酸化水素、
【００６８】
抗ウイルス剤、例えばアシクロビル、イミキモド、ポドフィロトキシン、ポドフィロックス、シドフォビル、ペンシクロビル、ビダラビン、イドクスウリジン、トリフルリジン、トロマンタジン、ラミブジン。
【００６９】
スキンケア剤はグルココルチコイド、好ましくは低力価のもの、例えばヒドロコルチゾン、又は抗掻痒剤、例えば抗ヒスタミン又は局所麻酔剤（例えばリドカイン）を含むこともできる。
【００７０】
スキンケア剤は皮膚軟膏、クリーム及びローションの既製混合物からなることもできる。例えば、Ｎｅｃｅｓｓｅ（登録商標）Ｌｏｔｉｏｎ（成分：水溶液、プロピレングリコール、液体パラフィン、オクチルオクタノエート、尿素、ＰＥＧ−８ジステアレート、ステアレス−２、ステアレス−２１、ベタイン、乳酸、酢酸トコフェリル、ジメチコン、トロメタミン、メチルパラベン、プロピルパラベン、香料）、Ｎｅｃｅｓｓｅ（登録商標）Ｓｋｉｎ  Ｃｒｅａｍ（成分：水溶液、液体パラフィン、オクチルステアレート、塩化ナトリウム、尿素、グリセリルステアレート、ステアリン酸、セテアリールアルコール、ＰＥＧ−３０ステアレート、トコフェリルアセテート、トロメタミン、ジメチコン、メチルパラベン、ソルビン酸、プロピルパラベン、香料）、Ｎｅｃｅｓｓｅ（登録商標）Ｂａｒｒｉｅｒ  Ｃｒｅａｍ（成分：ペトロラクタム、グリセロール、Ａｒａｃｈｉｓ  ｈｙｐｏｇａｅａ、クエン酸トリエチル、酢酸トコフェリル）又はＮｅｃｅｓｓｅ（登録商標）Ｚｉｎｃ  Ｏｉｎｔｍｅｎｔ（成分：ペトロラタム、Ａｒａｃｈｉｓ  ｈｙｐｏｇａｅａ、酸化亜鉛、パルミチン酸レチニル、トコフェロール）からなることができる。Ｎｅｃｅｓｓｅ（登録商標）製品はＳＣＡ  Ｈｙｇｉｅｎｅ  Ｐｒｏｄｕｃｔｓ，Ｇｏｔｈｅｎｂｕｒｇ、スウェーデンによって商業的に販売されている。
【００７１】
本発明で使用可能である幾つかの様々なスキンケア剤及び／又は物質の他例は特に次の文献に部分的に記載されている：
ＷＯ  ９６／１６６８２“Ｄｉａｐｅｒ  ｈａｖｉｎｇ  ａ  ｌｏｔｉｏｎｅｄ  ｔｏｐｓｈｅｅｔ”（Ｒｏｅ  ｅｔ  ａｌ.），ＷＯ  ９６／１６６８１“Ｄｉａｐｅｒ  ｈａｖｉｎｇ  ａ  ｌｏｔｉｏｎｅｄ  ｔｏｐｓｈｅｅｔ  ｃｏｎｔａｉｎｉｎｇ  ａ  ｐｏｌｙｓｉｌｏｘａｎｅ  ｅｍｍｏｌｌｉｅｎｔ”（Ｒｏｅ，Ｍａｃｋｅｙ），ＷＯ  ９７／０５９０９“Ｄｉａｐｅｒ  ｈａｖｉｎｇ  ａ  ｌｏｔｉｏｎｅｄ  ｔｏｐｓｈｅｅｔ  ｃｏｍｐｒｉｓｉｎｇ  ａ  ｌｉｑｕｉｄ  ｐｏｌｙｅｓｔｅｒ  ｅｍｏｌｌｉｅｎｔ  ａｎｄ  ａｎ  ｉｍｍｏｂｉｌｉｚｉｎｇ  ａｇｅｎｔ”（Ｒｏｅ），ＷＯ  ９９／４５９７３“Ｄｉｓｐｏｓａｂｌｅ  ａｂｓｏｒｂｅｎｔ  ａｒｔｉｃｌｅ  ｈａｖｉｎｇ  ａ  ｓｋｉｎ  ｃａｒｅ  ｃｏｍｐｏｓｉｔｉｏｎ  ｃｏｎｔａｉｎｉｎｇ  ａｎ  ｅｎｚｙｍｅ  ｉｎｈｉｂｉｔｏｒ”（Ｒｏｅ  ｅｔ  ａｌ.），ＷＯ  ９９／４５９７４“Ｐｒｏｔｅａｓｅ  ｉｎｈｉｂｉｔｏｒｓ  ｉｎ  ａｂｓｏｒｂｅｎｔ  ｐｒｏｄｕｃｔｓ”（Ｒｏｕｒｋｅ  ｅｔ  ａｌ.），ＷＯ  ９９／４５９７６“Ｐｒｏｔｏｎ  ｄｏｎａｔｉｎｇ  ａｃｔｉｖｅｓ  ｉｎ  ａｂｓｏｒｂｅｎｔ  ａｒｔｉｃｌｅｓ”（ＭｃＯｓｋｅｒ  ｅｔ  ａｌ.），ＤＥ  ３３  ０９  ５３０  Ｃ１  “Ｈｙｇｉｅｎｉｓｃｈｅ  Ａｂｓｏｒｐｔｉｏｎｓｖｏｒｌａｇｅ”（Ｌｅｉｔｎｅｒ  ｅｔ  ａｌ.），ＤＥ  ４１  ３６  ５４０  Ａ１  “Ｅｉｎｗｅｇｗｉｎｄｅｌｎ”（Ｇｒｕｎｅｃｋｅｒ  ｅｔ  ａｌ.），ＵＳ  ３４８９１４８“Ｔｏｐｓｈｅｅｔ  ｆｏｒ  ｄｉｓｐｏｓａｂｌｅ  ｄｉａｐｅｒｓ”（Ｄｕｎｃａｎ  ｅｔ  ａｌ.），ＷＯ  ００／６４５０２“Ａｂｓｏｒｂｅｎｔ  ａｒｔｉｃｌｅ  ｈａｖｉｎｇ  ａ  ｌｏｔｉｏｎｉｚｅｄ  ｂｏｄｙｓｉｄｅ  ｌｉｎｅｒ”（Ｋｒｚｙｓｉｋ  ｅｔ  ａｌ.），ＷＯ  ００／６４５０１“Ｓｋｉｎ−ｆｒｉｅｎｄｌｙ  ａｂｓｏｒｂｅｎｔ  ａｒｔｉｃｌｅｓ  ａｎｄ  ｃｏｍｐｏｓｉｔｉｏｎｓ”（Ｋｒｚｙｓｉｋ  ｅｔ  ａｌ.），ＷＯ  ００／６４５００“Ａｂｓｏｒｂｅｎｔ  ａｒｔｉｃｌｅ  ｈａｖｉｎｇ  ａ  ｈｙｄｒｏｐｈｉｌｉｃ  ｌｏｔｉｏｎｉｚｅｄ  ｂｏｄｙｓｉｄｅ  ｌｉｎｅｒ”（Ｋｒｚｙｓｉｋ  ｅｔ  ａｌ.），ＷＯ  ００／６４５０３“Ｓｋｉｎ−ｆｒｉｅｎｄｌｙ  ａｂｓｏｒｂｅｎｔ  ａｒｔｉｃｌｅｓ  ａｎｄ  ｃｏｍｐｏｓｉｔｉｏｎｓ”（Ｋｒｚｙｓｉｋ  ｅｔ  ａｌ.），ＷＯ  ９９／２２６８４“Ｗｅｂ  ｍａｔｅｒｉａｌｓ  ｗｉｔｈ  ｔｗｏ  ｏｒ  ｍｏｒｅ  ｓｋｉｎ  ｃａｒｅ  ｃｍｐｏｓｉｔｉｏｎｓ  ｄｉｓｐｏｓｅｄ  ｔｈｅｒｅｏｎ  ａｎｄ  ａｒｔｉｃｌｅｓ  ｍａｄｅ  ｔｈｅｒｅｆｒｏｍ”（Ｒｏｅ  ｅｔ  ａｌ.）。
【００７２】
本発明は前述したスキンケア剤に限定されないこと及びその代わりこれらは使用可能な例であることが注意されるべきである。本発明はスキンケア剤の完全に固体の組成物を使用しないことが好ましいだろう。なぜならばその目的はスキンケア剤がある程度インサートを皮膚に固定することであるからである。
【図面の簡単な説明】
【００７３】
【図１】支持体シート及びスペーシングシートを含むインサートを示す。
【図２】特別なデザインのスペーシングシートを有するインサートを示す。
【図３】特別なデザインのスキンケア剤の被覆を有するインサートを示す。
【図４】特別なデザインのスペーシングシートを有するインサートを示す。
【図５】吸収物品が適用される前に皮膚に固定されたインサートを有する、背後から見た人を示す。
【図６】吸収物品が適用される前に皮膚に固定されたインサートを有する、側方から見た人を示す。
【図７】皮膚に固定されたインサートを有し、腰及び股関節のまわりに吸収物品を有する、あおむけに横たわる人を示す。
【図１】
2005506149.tif 000003
【図２】
2005506149.tif 000004
【図３】
2005506149.tif 000005
【図４】
2005506149.tif 000006
【図５】
2005506149.tif 000007
【図６】
2005506149.tif 000008
【図７】
2005506149.tif 000009
【国際公開パンフレット】
2005506149.tif 000010
2005506149.tif 000011
2005506149.tif 000012
2005506149.tif 000013
2005506149.tif 000014
2005506149.tif 000015
2005506149.tif 000016
2005506149.tif 000017
2005506149.tif 000018
2005506149.tif 000019
2005506149.tif 000020
2005506149.tif 000021
2005506149.tif 000022
2005506149.tif 000023
2005506149.tif 000024
2005506149.tif 000025
2005506149.tif 000026
2005506149.tif 000027
2005506149.tif 000028
2005506149.tif 000029
2005506149.tif 000030
2005506149.tif 000031
2005506149.tif 000032
2005506149.tif 000033
2005506149.tif 000034
2005506149.tif 000035
2005506149.tif 000036
2005506149.tif 000037
2005506149.tif 000038
2005506149.tif 000039
2005506149.tif 000040
【国際公開パンフレット（コレクトバージョン）】
2005506149.tif 000041
【国際調査報告】
2005506149.tif 000042
2005506149.tif 000043
2005506149.tif 000044
2005506149.tif 000045